(57)【要約】      （修正有）【課題】清酒用プラスチック製の運搬箱に対する封止作業が容易であり、かつ極めて外れにくい段ボール製パッドを提供する。【解決手段】段ボール製パッド１は、上面板部２及び一対のフラップ部４から形成されるものであり、両フラップ部４をフラップ折線６に基づき下方に９０°折り曲げると、突出部基端片１２及び突出先端片１３は各水平方向切込み線５の切込みによって、上面板部２及びフラップ部４から切離され各フラップ部４の外側に突出部１４を突出するようになると同時に、突出先端片１３に掛止爪部１１が突出して形成される。【選択図】図１
0003213323.tif 000002
【実用新案登録請求の範囲】
【請求項１】
上面板部及び当該上面板部の左右の端縁から延伸した一対のフラップ部から形成されるものであり、当該上面板部の上端及び下端の中央部には持手用切欠部が形成されており、一方、上記上面板部からフラップ部にかけて平行に形成された一対の水平方向切込み線と、上面板部側に位置して上記一対の水平方向切込み線の切込み先端を結ぶように突出部基端折線が形成されると共に、フラップ部側に位置して上記一対の水平方向切込み線のもう一方の先端を結ぶように突出部先端ミシン線が施され突出部が形成され、更に、当該突出部において突出部基端折線と突出部先端ミシン線に平行かつフラップ部側に、平行に所定間隔をもって切込まれた上記一対の水平方向切込み線に対して上下に対向する垂直方向に掛止爪部折線が形成され、各掛止爪部折線の先端から上面板部方向に膨出して掛止爪部切込み線が施され、上記突出部基端片と突出部先端片が区画されて掛止爪部が形成されることを特徴とする、段ボール製パッド。
【考案の詳細な説明】
【技術分野】
【０００１】
本考案は、酒類や液体調味料などが充填される一升瓶のような瓶類を破損することなく運搬するため用いられる箱型プラスチック製の運搬箱として知られる、通称Ｐ箱に収納した前記瓶類を安定した状態に保持運搬するために封止される段ボール製パッドに関するものであり、特に一升瓶容器に充填された清酒を流通・運搬するに供されるプラスチック製の運搬箱に好適に使用される段ボール製パッドに係るものである。
【背景技術】
【０００２】
従来、一升瓶の流通・運搬には木箱が使用されており、これには灘や伏見などの大手清酒蔵元等が新木箱を作り、新瓶に清酒が瓶詰めされて消費地に出荷されていた。また、上記木箱は一升瓶１０本入りとされて再利用されるものであったが、昭和５０年頃より上記木箱は、重いことや衛生的ではない等の理由から、上記プラスチック製の運搬箱に変更されるようになった。当該プラスチック製の運搬箱は一升瓶６本入りで重量が軽く、プラスチック製であることから洗浄して繰り返し使用でき、且つ木箱の再利用に比べ衛生的であるなどの長所があった。ここで、当初箱型プラスチック製の運搬箱は昭和４０年代におけるビールの需要増加に応えるため外国から技術導入され開発されたものと考えられ、それまでビール業界では２４本入りの木の桟箱が主流であったが、前記プラスチック製の運搬箱が主流となって行った。従って、国内におけるプラスチック製の運搬箱の流通においては、ビール業界での広がりを見せ、次に一升瓶容器の流通を主とする清酒業界や醤油業界にも移行して現在に至ったものと想像される。
【０００３】
ビール業界では、プラスチック製の運搬箱の上面開口から挿入される紙製パッドは使い捨てであり、その目的は輸送中の振動により運搬箱に収納された各瓶が互いに干渉して割れることを防止すること、また、流通過程のおいて太陽光線が瓶に照射され日光臭と呼ばれるオフフレーバーが発生しビールの品質を低下させることを防止する目的で使用されていた。更に、日光臭による品質の低下の問題については清酒も同様であり、清酒を流通・運搬する際に使用される運搬箱においても紙製パッドが使用されるようになったと考えられる。また、近年、紙製パッドの上面部には荷物の届け先や依頼主の住所や氏名等を記入した送り状が貼着されるようになっている。
【０００４】
一方、平成７年に容器包装リサイクル法が制定され、その後一升瓶を含むガラス製容器は再商品化義務のある容器包装として取り扱われている。また、一升瓶については瓶の状態にもよるが基本的には有償で回収後にきれいに洗浄され、再び中身を詰めて商品化されると共に、平均６〜７回程度再使用されているようである。更に、プラスチック製の運搬箱についても有償で回収されているが、リターナル瓶の回収段階においては輸送中の瓶の破損や汚れ防止の観点からもプラスチック製の運搬箱が適しているため、当該プラスチック製の運搬箱は再利用品としての利用促進が図られている。更に、このようにプラスチック製の運搬箱が再利用品として活用されていることから、現在流通している清酒用の運搬箱の約４０％以上がレンタル商品となっており、デザイン及び規格の統一が図られている。
【０００５】
次に、上記プラスチック製の運搬箱に使用されるパッドの従来技術について触れると、先ず、実開昭６２−９９５２７号「瓶ケース用瓶の振動防止カバー」が見受けられる。当該考案の目的は、安価かつ極めて軽量で、ケース内の瓶の相互の干渉による破損を確実に防止することができる瓶ケース用瓶の振動防止カバーを提供することとされている。また、その技術的構成は、瓶の上部首部が貫入し得る多数の通孔を持った柔軟材料からなるほぼ四角形の板材と、この板材の各辺から突設された突片部に固着された嵌合部材とを備え、前記嵌合部材が前記板材を瓶ケースに対して張設状態に固定するものとなっている。次に、実公平５−２３４７６号「コンテナ用防寒紙」が見受けられる。また、当該考案の目的は、廃棄処理が容易な紙よって形成し、しかもコンテナから簡単に離脱しないようにしたコンテナ用防寒紙を提供することが挙げられており、防寒紙の目的は、コンテナの開口部に嵌装し、雨水、雪、寒風等が商品に直接あたるのを防止して、商品の汚染、凍結、損傷を防ぎ、商品の品質を保持するものとされている。ここで、当該考案の技術的構成は、コンテナの開口部を覆うように該コンテナ内に嵌合される矩形状の天面部と、該天面部の少なくとも一対の対向する側縁から一体的に突出するフラップ部と、該各フラップ部から前記天面部にかけてそれぞれ形成された一対の切り込み及び該一対の切り込みの対向端を結ぶように該天面部及びフラップ部に位置して平行に形成された一対の対向折り線部により、該天面部から各フラップ部にかけて配設された帯上立上り部と、前記各フラップ部が前記天面部に対して折り曲げ可能なように、該帯状立上り部を除いて該天面部と各フラップ部との境界にそれぞれ形成された一対のフラップ折り線部と、該各フラップ折り線部を介して前記各フラップ部を折り曲げたとき、前記各帯状立上り部が該フラップ部より外側に突出するように該フラップ折り線部より該各フラップ側に位置して該帯上立上り部に形成された立上り用折り線部とからなるものとされている。続いて、紙製パッドの従来技術によると実用新案第２５２０６５５号「ケース体収納時の瓶類の仮固定パッド及びケース体への瓶類の仮固定構造」も見受けられる。当該考案の目的は、ケース体内に収納した瓶類の輸送中のガタ付きを確実に防止すると共に、極めて簡単、かつ短時間で瓶類のケース体への装着ができ、軽量で運搬、保管、管理が容易であると共に、製造コストが極めて安価であり、更に、取り付け及び取り外しを瞬時に行えて瓶類の輸送のための仮固定用として優れたケース体収納時の瓶類の仮固定パッド及びケース体への瓶類の仮固定構造を提供するものとされている。そして、その仮固定パッドの技術的構成は、ケース体の内壁に沿って挿入し得る大きさであり、かつケース内部に瓶類を収納する区画の略中心に対応する様な位置に収納すべき瓶類のネック部に嵌着し得る複数のネック係止孔を備えたパッド本体を有し、このパッド本体の対向した二辺側に同パッド本体から突設された突設片部が設けられ、この突設片部は、前記ケース体の瓶類出し入れ用開口からパッド本体を挿入するときには同パッド本体から折曲されて上方に曲げられるように挿入され、前記パッド本体の両突設片部側を挿入時に下方に押圧した時に前記ケース体の内壁面であってに把持部開口の周縁に係止される外側係止部と、同押圧時にこの外側係止部から上端部が外方へ離開し、前記把持部開口内であってその上端が該把持部開口の受縁に係着する係着部と、を形成するように該突設片部に形成された略コ字状のスリットを備えてなるものである。
【０００６】
しかしながら、上記背景技術の欄に記載の従来技術である、実開昭６２−９９５２７号に係る考案においては、合成樹脂によって製造される柔軟材料の板材が使用されることからコストが高いものとなるだけではなく、瓶ケースにおいてカバーに設けられた通孔に瓶類の首部を貫通させた状態でカバーを装着させるためには、カバーの突片部をケースの把手部に巻き込むようにして当該ケースの溝部に嵌合部材を嵌合する必要があるのでカバーの装着が極めて煩雑かつ時間を要すという欠点があった。次に、実公平５−２３４７６号に係る考案について検討すると、コンテナ用防寒紙のフラップ部を折り曲げることにより該フラップ部の外側に帯状立上り部が突出し、該帯状立上り部がコンテナの手掛け用穴部に係合する（第１図、第４図）との記載であるが、特に第４図に示されるように、上記コンテナ用防寒紙の立上り用折線部の突出先端がコンテナの手掛け用穴部に押し込まれる形態となっており、風圧や輸送中の振動によって上記立上り用折線部の突出先端がコンテナの手掛け用穴部から外れ易いという欠点があった。更に、上記コンテナ用防寒紙のフラップ先端形成部からフラップ折り線部に向けて一対のリブ嵌合用の切欠きが形成されており、当該コンテナ用防寒紙をコンテナに装着する際には、当該コンテナ内壁に形成された補強用の縦リブに上記リブ嵌合用の切欠きを係止させるものであるが、迅速な作業が求められる荷送作業において手間が掛かり極めて煩雑であるという欠点もあった。続いて、実用新案第２５２０６５５号に係る考案について検討すると、パッド本体の両突設片部側を下方に押圧すると、同パッド本体の中央部は収納された瓶類の下方に拡経されたネック部に嵌着してそれ以上下方に下がらないようになるとともに、突設片部の外側係止部はケース体の内壁面であって把持部開口の周縁に係止されて縦方向に保持されるとともに、押圧時に外方への離開が規制されない係着部はその把持部開口内において先端側から外方に離開するとなっているが、仮固定パッドのパッド本体を瓶類出し入れ用開口から挿入して両突設片部側を下方に押圧すると同時に係着部の上端を受縁に係着させる必要があるので二段階的な作業となり、手間がかかり作業が煩雑であるという欠点があった。
【先行技術文献】
【特許文献】
【０００７】
【特許文献１】実開昭６２−９９５２７号公報
【特許文献２】実公平５−２３４７６号公報
【特許文献３】実用新案第２５２０６５５号公報
【考案の概要】
【考案が解決しようとする課題】
【０００８】
本考案は、上記背景技術の欄に記載した従来技術の欠点に鑑み成されたものであり、一回の封止動作によってプラスチック製の運搬箱の開口部を確実に封止できると共に、当該運搬箱の輸送中の振動や風圧によっても紙製段ボールパッドがプラスチック製の運搬箱から外れることのない、段ボール製パッドの提供を目的とする。
【課題を解決するための手段】
【０００９】
上記目的を達成するため、本考案に係る段ボール製パッドは、上面板部及び当該上面板部の左右の端縁から延伸した一対のフラップ部から形成されるものであり、当該上面板部の上端及び下端の中央部には持手用切欠部が形成されており、一方、上記上面板部からフラップ部にかけて平行に形成された一対の水平方向切込み線と、上面板部側に位置して上記一対の水平方向切込み線の切込み先端を結ぶように突出部基端折線が形成されると共に、フラップ部側に位置して上記一対の水平方向切込み線のもう一方の先端を結ぶように突出部先端ミシン線が施され突出部が形成され、更に、当該突出部において突出部基端折線と突出部先端ミシン線に平行かつフラップ部側に、平行に所定間隔をもって切込まれた上記一対の水平方向切込み線に対して上下に対向する垂直方向に掛止爪部折線が形成され、各掛止爪部折線の先端から上面板部方向に膨出して掛止爪部切込み線が施され、上記突出部基端片と突出部先端片が区画されて掛止爪部が形成されることを要旨とする。
【考案の効果】
【００１０】
本考案に係る紙製段ボールパッドは、上記詳述した構成から成るものであるから、上面板部の端縁から延伸した両フラップ部を折曲した際に、突出部基端片と突出部先端片から成る突出部が上記フラップ部の外側に突出すると同時に突出部先端片から掛止爪部が突出方向に膨出して、清酒用プラスチック製の運搬箱の上端枠体下端に掛止された状態となるので、本考案に係る段ボールパッドは清酒用プラスチック製の運搬箱の開口部を確実に封止できるという効果がある。
【００１１】
続いて、本考案に係る紙製段ボールパッドによれば、清酒用プラスチック製の運搬箱の開口部に対する封止を一回の動作で実施できるので、迅速性が求められる荷送作業の効率化を図ることができるという効果もある。
【００１２】
更に、本考案に係る紙製段ボールパッドによるプラスチック製運搬箱の開口部の封止については、清酒用のプラスチック製の運搬箱についての適応を記載しているが、その他の商品運搬のために用いられる同様形態の運搬箱であれば、前記突出部の形態を調整することで容易に適応できるという効果もある。
【図面の簡単な説明】
【００１３】
【図１】本考案に係る段ボール製パッドの平面図。
【図２】本考案に係る段ボール製パッドの両フラップ部をフラップ折線に基づき下方に９０°折り曲げた際の正面図。
【図３】本考案に係る段ボール製パッドを清酒用プラスチック製の運搬箱に封止した際の正面図。
【図４】本考案に係る段ボール製パッドを清酒用プラスチック製の運搬箱に封止した際の平面図。
【考案を実施するための形態】
【００１４】
本考案に係る段ボール製パッドを実施するための最良の形態について説明するものとする。図３及び図４は本考案の実施の形態例を示すものであり、本考案に係る段ボール製パッド１は、清酒用プラスチック製の運搬箱１５の開口部１６を封止した際、一回の封止動作によって掛止爪部１１が清酒用プラスチック製の運搬箱１５の上端枠体１８の下端に掛止された状態となる。
【実施例１】
【００１５】
先ず、図１は本考案に係る段ボール製パッドの平面図である。図示のように、本考案に係る段ボール製パッド１は１枚の段ボールを打ち抜き加工したものから成り、上面板部２及上面板部２の左右の端縁から延伸して一対のフラップ部４から形成されたものである。ここで、段ボール製パッド１は後述する清酒用プラスチック製の運搬箱の開口部を封止するもので、上面板部２から延伸した左右のフラップ部４を上面板部２に対してフラップ折線６に基づき９０°下方に折り曲げた状態で、清酒用プラスチック製の運搬箱の開口部を封止するので、上記上面板部２は上記清酒用プラスチック製の運搬箱１５の開口部１６より若干小さな矩形状に形成されている。また、上面板部２の上端及び下端の中央部には持手用切欠部３が形成されており、当該持手用切欠部３は後述する清酒用プラスチック製の運搬箱１５を運搬する際の把持部１７を把持する際に持ち手箇所を確保するために横長に切欠されたものである。次に、上面板部２から各フラップ部４にかけて突出部基端片１２及び突出部先端片１３から成る突出部１４が設けられている。当該突出部１４は、上面板部２からフラップ部４にかけて平行に形成された一対の水平方向切込み線５と、上面板部２側に位置して上記一対の水平方向切込み線５の切込み先端を結ぶように突出部基端折線７が形成されると共に、フラップ部４側に位置して上記一対の水平方向切込み線５のもう一方の先端を結ぶように突出部先端ミシン線９が施されている。更に、突出部１４において突出部基端折線７と突出部先端ミシン線９に平行かつプラップ部４側に、平行に所定間隔をもって切込まれた上記一対の水平方向切込み線５に対して上下に対向する垂直方向に掛止爪部折線８が形成され、各掛止爪部折線８の先端から上面板部２方向に膨出して掛止爪部切込み線１０が施され、これによって上記突出部基端片１２と突出部先端片１３が区画されて掛止爪部１１が形成される。
【００１６】
次に、図２は本考案に係る段ボール製パッドの両フラップ部をフラップ折線に基づき下方に９０°折り曲げた際の正面図である。本考案に係る段ボール製パッド１は上記のような構成であることから、図示のように、本考案に係る段ボール製パッド１の両フラップ部４をフラップ折線６に基づき下方に９０°折り曲げると、上記突出部基端片１２及び突出先端片１３は各水平方向切込み線５の切込みによって、上面板部２及びフラップ部４から切離され各フラップ部４の外側に突出部１４を突出するようになる。更に、当該突出部１４においては掛止爪部折線８及び掛止爪部切込み線１０によって、突出先端片１３に掛止爪部１１が突出して形成されるものである。
【００１７】
更にまた、図３及び図４は、それぞれ本考案に係る段ボール製パッドを清酒用プラスチック製の運搬箱に封止した際の正面図及び平面図である。図３に示すように、本考案に係る段ボール製パッド１によって清酒用プラスチック製の運搬箱１５の開口部１６を封止する際には、前述のように上面板部２から延伸した左右のフラップ部４を上面板部２に対してフラップ折線６に基づき９０°下方に折り曲げた状態として、図４に図示のように封止するものであるが、図３に図示されるように一回の封止動作によって掛止爪部１１が清酒用プラスチック製の運搬箱１５の上端枠体１８の下端に掛止された状態となる。
【符号の説明】
【００１８】
１    本考案に係る段ボール製パッド
２    上面板部
３    持手用切欠部
４    フラップ部
５    水平方向切込み線
６    フラップ折線
７    突出部基端折線
８    掛止爪部折線
９    突出部先端ミシン線
１０  掛止爪部切込み線
１１  掛止爪部
１２  突出部基端片
１３  突出部先端片
１４  突出部
１５  清酒用プラスチック製の運搬箱
１６  開口部
１７  把持部
１８  上端枠体
【図１】
0003213323.tif 000003
【図２】
0003213323.tif 000004
【図３】
0003213323.tif 000005
【図４】
0003213323.tif 000006